(57)【要約】【課題】  本発明の課題は、必要最小限の監視映像を記録できるシステムを提供することである。【解決手段】  情報処理機器の要求に応じて、利用者識別情報を返信するＩＣカードと、受信した利用者識別情報を利用者認証して、認証使用中情報を含む機器状態情報を作成して、監視サーバ装置に送信して、使用終了指示を受け付けて、使用終了情報を含む機器状態情報を作成して、監視サーバ装置に送信する処理機器と、利用者の存在／不在を検知した人検知結果を作成して、監視サーバ装置に送信する人センサと、受信した最新の機器状態情報と、受信した最新の人検知結果とを用いて、撮影条件を判定して、ネットワークカメラに発行して、監視映像データの返信を受けて、記録する監視サーバ装置と、監視サーバ装置から受け付けた撮影条件で、監視映像データを作成して、監視サーバ装置に送信するネットワークカメラと、から構成される撮影監視システムである。【選択図】  図１
2008067374.tif 000002
【特許請求の範囲】
【請求項１】
利用者識別情報を記憶した識別情報記録媒体と、ネットワーク接続された情報処理機器と監視サーバ装置と、人センサと、ネットワークカメラと、から構成される撮影監視システムであって、
前記情報処理機器は、
利用者識別情報を含む利用者認証情報を記憶する記憶手段と、
利用者識別情報送信要求を、識別情報記録媒体に発行する利用者識別情報送信要求手段と、
識別情報記録媒体から、利用者識別情報を受け付けて、前記利用者認証情報を参照して、利用者認証する利用者認証手段と、
使用終了指示を、受け付ける使用終了指示受付手段と、
認証使用中情報を含む機器状態情報を、または、使用終了情報を含む機器状態情報を、作成する機器状態情報作成手段と、
前記作成された機器状態情報を、監視サーバ装置に、送信する機器状態情報送信手段と、
を備える処理機器であって、
前記識別情報記録媒体は、
利用者識別情報を記憶する記憶手段と、
情報処理機器から、利用者識別情報送信要求を受け付けて、利用者識別情報を返信する利用者識別情報返信手段と、
を備える識別情報記録媒体であって、
前記人センサは、
利用者の存在、または、不在を検知する人検知手段と、
人検知結果を作成する人検知結果作成手段と、
人検知結果を、監視サーバ装置に、送信する人検知結果送信手段と、
を備えるセンサであって、
前記監視サーバ装置は、
情報処理機器から、機器状態情報を、受信する機器状態情報受信手段と、
人センサから、人検知結果を、受信する人検知結果受信手段と、
最新の機器状態情報と最新の人検知結果とを用いて、撮影条件を判定する撮影条件判定手段と、
前記判定された撮影条件を、ネットワークカメラに、発行する撮影条件送信手段と、
監視映像データを、ネットワークカメラから、受信する監視映像データ受信手段と、
前記受信された監視映像データを、記録する監視映像記録手段と、
を備えるサーバ装置であって、
前記ネットワークカメラは、
監視サーバ装置から、撮影条件を受け付ける撮影条件受付手段と、
前記受け付けられた撮影条件にしたがって、撮影対象を撮像して画像データを画像メモリに保持する撮像手段と、
前記保持された画像データを用いて、監視映像データを作成する監視映像データ作成手段と、
前記作成された監視映像データを、監視サーバ装置に、送信する監視映像データ送信手段と、
を備えるカメラである、
ことを特徴とする撮影監視システム。
【請求項２】
利用者識別情報を含む利用者認証情報と、ネットワークカメラと、を用いる撮影監視方法であって、
利用者識別情報送信要求を発行して、利用者識別情報を受け付けて、前記利用者認証情報を参照して、利用者認証して、認証使用中情報を含む機器状態情報を、作成する利用者認証ステップと、
使用終了指示を、受け付けて、使用終了情報を含む機器状態情報を、作成する使用終了指示受付ステップと、
利用者の存在、または、不在を検知して、人検知結果を作成する人検知結果作成ステップと、
最新の機器状態情報と最新の人検知結果とを用いて、撮影条件を判定する撮影条件判定ステップと、
前記判定された撮影条件を、ネットワークカメラに、発行する撮影条件送信ステップと、
監視映像データを、ネットワークカメラから、受信する監視映像データ受信ステップと、
前記受信された監視映像データを、表示する監視映像表示ステップと、
を含んだ手順でなされることを特徴とする撮影監視方法。
【請求項３】
コンピュータに組込むことによって、コンピュータを請求項１に記載の撮影監視システムとして動作させるコンピュータプログラム。
【請求項４】
請求項３に記載のコンピュータプログラムを記録したコンピュータ読取り可能な記録媒体。
【発明の詳細な説明】
【技術分野】
【０００１】
本発明は、情報機器の利用者を撮影することで、設備の利用状況を撮影監視するシステム、および、その方法に関するものである。
【背景技術】
【０００２】
従来から、機密管理や安全管理のために、情報機器の利用状況を監視して、映像記録が行われている。
【０００３】
たとえば、特許文献１では、利用者が携帯する非接触型のＩＣカードが検知されると、監視ビデオカメラが作動して、監視映像を撮影して保存する技術が開示されている。（従来技術１）
【特許文献１】特開２００１−１６７３０６号公報（３〜４ページ、図２）
【発明の開示】
【発明が解決しようとする課題】
【０００４】
ところで、従来技術１では、認証できた者や認証できなかった者を、撮影した監視映像を保存すると、データ容量が膨大になってしまうという問題点があった。
【０００５】
本発明はこのような従来技術を考慮してなされたものであって、本発明の課題は、必要最小限の監視映像を記録できるシステムを提供することである。
【課題を解決するための手段】
【０００６】
本発明は、以下のような解決手段により、前記課題を解決する。すなわち、請求項１の発明は、利用者識別情報を記憶した識別情報記録媒体と、ネットワーク接続された情報処理機器と監視サーバ装置と、人センサと、ネットワークカメラと、から構成される撮影監視システムであって、前記情報処理機器は、利用者識別情報を含む利用者認証情報を記憶する記憶手段と、利用者識別情報送信要求を、識別情報記録媒体に発行する利用者識別情報送信要求手段と、識別情報記録媒体から、利用者識別情報を受け付けて、前記利用者認証情報を参照して、利用者認証する利用者認証手段と、使用終了指示を、受け付ける使用終了指示受付手段と、認証使用中情報を含む機器状態情報を、または、使用終了情報を含む機器状態情報を、作成する機器状態情報作成手段と、前記作成された機器状態情報を、監視サーバ装置に、送信する機器状態情報送信手段と、を備える処理機器であって、前記識別情報記録媒体は、利用者識別情報を記憶する記憶手段と、情報処理機器から、利用者識別情報送信要求を受け付けて、利用者識別情報を返信する利用者識別情報返信手段と、を備える識別情報記録媒体であって、前記人センサは、利用者の存在、または、不在を検知する人検知手段と、人検知結果を作成する人検知結果作成手段と、人検知結果を、監視サーバ装置に、送信する人検知結果送信手段と、を備えるセンサであって、前記監視サーバ装置は、情報処理機器から、機器状態情報を、受信する機器状態情報受信手段と、人センサから、人検知結果を、受信する人検知結果受信手段と、最新の機器状態情報と最新の人検知結果とを用いて、撮影条件を判定する撮影条件判定手段と、前記判定された撮影条件を、ネットワークカメラに、発行する撮影条件送信手段と、監視映像データを、ネットワークカメラから、受信する監視映像データ受信手段と、前記受信された監視映像データを、記録する監視映像記録手段と、を備えるサーバ装置であって、前記ネットワークカメラは、監視サーバ装置から、撮影条件を受け付ける撮影条件受付手段と、前記受け付けられた撮影条件にしたがって、撮影対象を撮像して画像データを画像メモリに保持する撮像手段と、前記保持された画像データを用いて、監視映像データを作成する監視映像データ作成手段と、前記作成された監視映像データを、監視サーバ装置に、送信する監視映像データ送信手段と、を備えるカメラである、ことを特徴とする撮影監視システムである。
【０００７】
ここで、判定された撮影条件には、認証使用中の撮影条件と、認証使用終了後の撮影条件と、利用者が存在するときの撮影条件と、利用者が不在のときの撮影条件と、の4つの場合が存在する。それぞれの撮影条件は、監視映像データのデータ容量が異なるように設定される。
【０００８】
請求項２の発明は、利用者識別情報を含む利用者認証情報と、ネットワークカメラと、を用いる撮影監視方法であって、利用者識別情報送信要求を発行して、利用者識別情報を受け付けて、前記利用者認証情報を参照して、利用者認証して、認証使用中情報を含む機器状態情報を、作成する利用者認証ステップと、使用終了指示を、受け付けて、使用終了情報を含む機器状態情報を、作成する使用終了指示受付ステップと、利用者の存在、または、不在を検知して、人検知結果を作成する人検知結果作成ステップと、最新の機器状態情報と最新の人検知結果とを用いて、撮影条件を判定する撮影条件判定ステップと、前記判定された撮影条件を、ネットワークカメラに、発行する撮影条件送信ステップと、監視映像データを、ネットワークカメラから、受信する監視映像データ受信ステップと、前記受信された監視映像データを、表示する監視映像表示ステップと、を含んだ手順でなされることを特徴とする撮影監視方法である。
【０００９】
請求項３の発明は、コンピュータに組込むことによって、コンピュータを請求項１に記載の撮影監視システムとして動作させるコンピュータプログラムである。
【００１０】
請求項４の発明は、請求項３に記載のコンピュータプログラムを記録したコンピュータ読取り可能な記録媒体である。
【発明の効果】
【００１１】
本願発明によれば、認証状態や利用者の有無によって、異なる撮影条件で、撮影することで、保存する監視映像データを必要最小限の容量にすることが可能である。
【発明を実施するための最良の形態】
【００１２】
（実施例）
以下、図面等を参照しながら、本発明の実施の形態について、更に詳しく説明する。
【００１３】
図１は、撮影監視システム１の概要を説明する図である。撮影監視システム１は、接触型、または、非接触型ＩＣカード３００と、ネットワーク接続された情報処理機器１００と、監視サーバ装置９００と、ネットワークカメラ５００と、人センサ７００と、から構成される。情報処理機器１００は、ＩＣカード読取装置を備える。
【００１４】
情報処理機器１００は、利用者が使用する対象であるとともに、その使用状況を監視される対象となる情報処理機器であり、利用者認証情報１９１を記憶している。ＩＣカード３００は、利用者が保持するＩＣカードであり、各利用者を識別するための利用者識別情報３９１を記憶している。ＩＣカード３００は、利用者識別情報３９１を記憶した識別情報記録媒体の一例である。本明細書では、ＩＣカードとは、データ処理用のチップを搭載したものを意味するが、データ処理用のチップを搭載しないＩＣタグを、利用者識別情報３９１を記憶した識別情報記録媒体として用いるようにしても良い。ネットワークカメラ５００は、情報処理機器１００を操作する人物を撮影可能な位置に設置されたカメラであり、監視サーバ装置９００から受信した撮影条件に従って撮影を行う機能を有している。人センサ７００は、情報処理機器１００の操作位置における人物の存在を検知可能に設置されたセンサである。センサとしては、公知の種々のものを採用することができるが、本実施形態では、赤外線センサを採用している。監視サーバ装置９００は、ネットワークを介して、情報処理機器１００、ネットワークカメラ５００、人センサ７００とデータの送受信が可能なように接続されたサーバ装置であり、人検知結果情報９９７と、撮影条件データ９９５と、監視映像データ５９１と、機器状態情報９９１と、を記憶する。
【００１５】
なお、利用者認証情報１９１は、情報処理機器１００の使用が事前に許可された利用者の利用者識別情報を含む情報である。
【００１６】
図２は、撮影監視システム１の処理の流れを説明する図である。
【００１７】
利用者は情報処理機器１００を使用する場合、まず、利用者自身を特定する利用者識別情報３９１を記憶したＩＣカード３００を、情報処理機器１００に接続されたＩＣカード読取装置に読み取らせる。すると、情報処理機器１００は、利用者識別情報送信要求を、ＩＣカード３００に発行する（図２（１））。ＩＣカード３００は、情報処理機器１００から、利用者識別情報送信要求を受け付けて、利用者識別情報３９１を返信する（同（２））。情報処理機器１００は、ＩＣカード３００から、利用者識別情報３９１を受け付けて、前記利用者認証情報１９１を参照して、利用者認証する（同（３））。利用者認証が正しく行われると、情報処理機器１００は、利用が可能な状態となる。
【００１８】
利用者認証が正しく行われた場合には、情報処理機器１００は、認証使用中情報を含む機器状態情報９９１を作成して、監視サーバ装置９００に送信する（同（４））。監視サーバ装置９００は、情報処理機器１００から、機器状態情報９９１を受信する（同（５））。
【００１９】
利用者による情報処理機器１００の使用が開始されると、人センサ７００は、処理を開始する。具体的には、人センサ７００は、利用者の存在、または、利用者の不在を検知して、それに対応する利用者存在情報を含む人検知結果９９７、または、利用者不在情報を含む人検知結果９９７を作成して、監視サーバ装置９００に送信する（同（１１））。監視サーバ装置９００は、人センサ７００から、人検知結果９９７を受信する（同（１２））。
【００２０】
利用者が、情報処理機器１００に対して使用終了指示を行うと、情報処理機器１００は、使用終了指示を受け付けて、使用終了情報を含む機器状態情報９９１を作成して、監視サーバ装置９００に送信する（同（２１））。監視サーバ装置９００は、情報処理機器１００から、機器状態情報９９１を受信する（同（２２））。
【００２１】
監視サーバ装置９００は、最新の機器状態情報９９１と最新の人検知結果９９７とを用いて、撮影条件９９５を判定する（同（３１））。
【００２２】
このように、情報処理機器１００の使用状態（認証使用中、あるいは、使用終了）や、利用者の有無によって、撮影条件を変えることができる。
【００２３】
そこで、撮影条件としては、たとえば、認証使用中で、利用者がいない場合は、他人が不正使用する可能性があるので、高い画像精度が得られる高精度の撮影条件にして、使用終了後で、利用者がいる場合は、不正使用する可能性があるので、高い画像精度が得られる高精度の撮影条件にして、使用終了後で、利用者がいない場合は、無人状態なので、中程度画像精度が得られる中精度の撮影条件にして、認証使用中で、利用者がいる場合は、正しく利用されていると想定される状態なので、低い画像精度が得られる低精度の撮影条件にする。（詳細は、後述する）
【００２４】
監視サーバ装置９００は、前記判定された撮影条件９９５を、ネットワークカメラ５００に発行する（同（３２））。ネットワークカメラ５００は、監視サーバ装置９００から、撮影条件９９５を受け付ける（同（３３））。
【００２５】
ネットワークカメラ５００は、前記受け付けられた撮影条件９９５にしたがって、撮影対象を撮像して、監視映像データ５９１を作成して、監視サーバ装置９００に送信する（同（３４））。
【００２６】
監視サーバ装置９００は、監視映像データ５９１を、ネットワークカメラ５００から受信して、記録する（同（３５））。
【００２７】
このように、撮影条件によって、監視映像データ５９１の容量を変えることが可能である。
【００２８】
図３は、撮影監視システム１の詳細な構成図である。撮影監視システム１は、接触型、または、非接触型ＩＣカード３００と、ネットワーク接続された情報処理機器１００と、監視サーバ装置９００と、ネットワークカメラ５００と、人センサ７００と、から構成される。
【００２９】
情報処理機器１００は、利用者識別情報送信要求手段１１５と、利用者認証手段１３０と、使用終了指示受付手段１４０と、機器状態情報作成手段１５０と、機器状態情報送信手段１５５と、記憶手段１９０と、を備える。記憶手段１９０は、利用者認証情報１９１を記憶している。
【００３０】
利用者認証情報１９１は、情報処理機器１００の使用が事前に許可された利用者の利用者識別情報を含む情報である。
【００３１】
利用者識別情報送信要求手段１１５は、利用者識別情報送信要求を、ＩＣカード３００に発行する機能を有している。利用者認証手段１３０は、ＩＣカード３００から、利用者識別情報３９１を受け付けて、利用者認証情報１９１を参照して、利用者認証する機能を有している。
【００３２】
使用終了指示受付手段１４０は、使用終了指示の入力を、受け付ける機能を有している。
【００３３】
機器状態情報作成手段１５０は、認証使用中情報を含む機器状態情報９９１を、または、使用終了情報を含む機器状態情報９９１を、作成する機能を有している。機器状態情報送信手段１５５は、前記作成された機器状態情報９９１を、監視サーバ装置９００に送信する機能を有している。
【００３４】
ＩＣカード３００は、利用者識別情報返信手段３１５と、記憶手段３９０と、を備える。記憶手段３９０は、利用者識別情報３９１を記憶している。
【００３５】
利用者識別情報返信手段３１５は、情報処理機器１００から、利用者識別情報送信要求を受け付けて、利用者識別情報３９１を返信する機能を有している。
【００３６】
人センサ７００は、人検知手段７１０と、人検知結果作成手段７２０と、人検知結果送信手段７３５と、を備える。
【００３７】
人検知手段７１０は、利用者の存在、または、利用者の不在を検知する機能を有している。人検知手段７１０は、情報処理機器１００の前に人が存在しているかどうかの検知を定期的に行う。検知の頻度は、適宜設定することができるが、本実施例では、１分に１回としている。
【００３８】
人検知結果作成手段７２０は、前記検知された利用者の存在に対応して、利用者存在情報を含む人検知結果９９７を作成する、あるいは、前記検知された利用者の不在に対応して、利用者不在情報を含む人検知結果９９７を作成する機能を有している。具体的には、人検知手段７１０による定期的な検知の結果、人を検知した場合には、利用者存在情報を含む人検知結果９９７を作成し、人を検知しなかった場合には、利用者不在情報を含む人検知結果９９７を作成する。
【００３９】
人検知結果送信手段７３５は、人検知結果９９７を、監視サーバ装置９００に、送信する機能を有している。したがって、本実施例のように１分に１回検知を行っている場合は、１分ごとに、人検知結果９９７が作成され、監視サーバ装置９００に、送信されることになる。
【００４０】
監視サーバ装置９００は、機器状態情報受信手段９５５と、人検知結果受信手段９３５と、撮影条件判定手段９４０と、撮影条件送信手段９４５と、監視映像データ受信手段９６５と、監視映像記録手段９７０と、を備える。
【００４１】
機器状態情報受信手段９５５は、情報処理機器１００から、機器状態情報９９１を、受信する機能を有している。人検知結果受信手段９３５は、人センサ７００から、人検知結果９９７を受信する機能を有している。
【００４２】
撮影条件判定手段９４０は、最新の機器状態情報９９１と最新の人検知結果９９７とを用いて、撮影条件９９５を判定する機能を有している。撮影条件送信手段９４５は、前記判定された撮影条件９９５を、ネットワークカメラ５００に発行する機能を有している。
【００４３】
監視映像データ受信手段９６５は、監視映像データ５９１を、ネットワークカメラ５００から受信する機能を有している。監視映像記録手段９７０は、前記受信された監視映像データ５９１を記録する機能を有している。
【００４４】
ネットワークカメラ５００は、撮影条件受付手段５４５と、撮像手段５１０と、監視映像データ作成手段５２０と、監視映像データ送信手段５６５と、を備える。
【００４５】
撮影条件受付手段５４５は、監視サーバ装置９００から、撮影条件９９５を受け付ける機能を有している。
【００４６】
撮像手段５１０は、前記受け付けられた撮影条件９９５にしたがって、撮影対象を撮像して画像データを画像メモリに保持する機能を有している。監視映像データ作成手段５２０は、前記保持された画像データを用いて、監視映像データ５９１を作成する機能を有している。
【００４７】
監視映像データ送信手段５６５は、前記作成された監視映像データ５９１を、監視サーバ装置９００に送信する機能を有している。
【００４８】
利用者識別情報送信要求手段１１５と、利用者認証手段１３０と、使用終了指示受付手段１４０と、機器状態情報作成手段１５０と、機器状態情報送信手段１５５と、利用者識別情報返信手段３１５と、撮影条件受付手段５４５と、監視映像データ作成手段５２０と、監視映像データ送信手段５６５と、人検知結果作成手段７２０と、人検知結果送信手段７３５と、機器状態情報受信手段９５５と、人検知結果受信手段９３５と、撮影条件判定手段９４０と、撮影条件送信手段９４５と、監視映像データ受信手段９６５と、監視映像記録手段９７０とは、コンピュータプログラムにより実現される。
【００４９】
利用者認証情報１９１と、利用者識別情報３９１とは、コンピュータプログラムが可読なデータである。記憶手段１９０と、記憶手段３９０とは、メモリである。撮像手段５１０は、撮像素子である。人検知手段７１０は、赤外線センサ素子である。
【００５０】
図４は、撮影条件判定手段９４０が行う撮影条件判定処理のフローチャートである。
（１）機器状態情報９９１が、認証使用中情報を含むかを判定する。ＹＥＳ（＝認証使用中情報を含む）であれば、ステップＳ１１０に進む。ＮＯ（＝認証使用中情報を含まない）であれば、ステップＳ１５０に進む。（ステップＳ１００）
（２）ステップＳ１００において、機器状態情報９９１が認証使用中情報を含むと判定された場合は、人検知結果９９７が、利用者の存在情報を含むかを判定する。ＹＥＳ（＝利用者の存在情報を含む）であれば、ステップＳ１３０に進む。ＮＯ（＝利用者の存在情報を含まない）であれば、ステップＳ１２０に進む。（ステップＳ１１０）
（３）ステップＳ１１０において、利用者の存在情報を含むと判定された場合は、低精度の撮影条件９９５を発行して、終了する。（ステップＳ１３０）
（４）ステップＳ１１０において、利用者の存在情報を含まないと判定された場合は、高精度の撮影条件９９５を発行して、終了する。（ステップＳ１２０）
（５）ステップＳ１００において、機器状態情報９９１が認証使用中情報を含まないと判定された場合も、人検知結果９９７が、利用者の存在情報を含むかを判定する。ＹＥＳ（＝利用者の存在情報を含む）であれば、ステップＳ１６０に進む。ＮＯ（＝利用者の存在情報を含まない）であれば、ステップＳ１７０に進む。（ステップＳ１５０）
（６）ステップＳ１５０において、利用者の存在情報を含むと判定された場合は、高精度の撮影条件９９５を発行して、終了する。（ステップＳ１６０）
（７）ステップＳ１５０において、利用者の存在情報を含まないと判定された場合は、中精度の撮影条件９９５を発行して、終了する。（ステップＳ１７０）
【００５１】
なお、撮影条件には、監視映像データのフレームレートや解像度や圧縮方法などを含める。ここで、高精度の撮影条件とは、たとえば、フレームレートが、１／３０秒、解像度が、６４０×４８０画素、画像ビットレートが、４Ｍbpsである。また、中精度の撮影条件とは、たとえば、フレームレートが、１／３０秒、解像度が、３２０×２４０画素、画像ビットレートが、１Ｍbpsである。同様に、低精度の撮影条件とは、たとえば、フレームレートが、１秒、解像度が、３２０×２４０画素、画像ビットレートが、７００Ｋbpsである。
【００５２】
以上詳しく説明したように、本願発明によれば、認証状態や利用者の有無によって、異なる撮影条件で、撮影することで、保存する監視映像データを必要最小限の容量にすることが可能となった。
【００５３】
（変形例）
上記実施例では、撮影条件を、人が情報処理機器１００の前に人が存在しているかどうかにより判定したが、存在するか否かだけでなく、存在している場合の状況により、異なる撮影条件とするようにしても良い。以下に、そのような変形例を２つ説明する。
【００５４】
第１の変形例では、まず、人センサ７００による人検知結果９９７の作成の手法が異なっている。具体的には、第１の変形例では、人検知手段７１０は、情報処理機器１００の前に人が存在しているかどうかの検知を１秒に１回行い、人検知結果作成手段７２０は、２０回分の検知結果を人検知結果９９７とする処理を行う。したがって、２０秒ごとに、人検知結果９９７が作成され、監視サーバ装置９００に、送信されることになる。
【００５５】
図５は、第１の変形例において、撮影条件判定手段９４０が行う撮影条件判定処理のフローチャートである。図５において、図４に示したものと同一処理を行うステップについては同一の番号を付している。第１の変形例が実施例と大きく異なるのは、ステップＳ１１１と、ステップＳ１５１である。ステップＳ１１１では、人検知結果９９７を解析し、不存在、存在のいずれであるかを判断する。２０回中１回も検知していなければ、不存在であると判断し、ステップＳ１２０に進む。２０回中１回でも検知していれば、存在していると判断し、ステップＳ１３０に進む。
【００５６】
ステップＳ１５１では、人検知結果９９７を解析し、不存在、散在、滞留のいずれであるかを判断する。ここでは、存在した場合をさらに散在と滞留の二つに区別している。２０回中１回も検知していなければ、不存在であると判断し、ステップＳ１７１に進む。２０回中５回以上連続して検知していれば、滞留であると判断し、ステップＳ１６０に進む。それ以外の場合は、散在であると判断し、ステップＳ１４０に進む。散在と滞留の区別については、上記の他にも、例えば、２０回中１０回以上検知していれば滞留、２０回中１回以上９回以下の検知であれば散在とするようなことも可能である。
【００５７】
第２の変形例では、人検知手段７１０は、情報処理機器１００の前に人が存在しているかどうかの検知を１秒に１回行い、人検知結果作成手段７２０は、１回分の検知結果を人検知結果９９７とする処理を行う。したがって、１秒ごとに、人検知結果９９７が作成され、監視サーバ装置９００に、送信されることになる。
【００５８】
図６は、第２の変形例において、撮影条件判定手段９４０が行う撮影条件判定処理のフローチャートである。図６において、図４、図５に示したものと同一処理を行うステップについては同一の番号を付している。第２の変形例が実施例と大きく異なるのは、ステップＳ１１２と、ステップＳ１５２、ステップＳ１９０である。ステップＳ１１２では、人検知結果９９７を解析し、不存在、存在のいずれであるかを判断する。検知していなければ、不存在であると判断し、ステップＳ１２０に進む。検知していれば、存在していると判断し、ステップＳ１３０に進む。
【００５９】
ステップＳ１５２では、人検知結果９９７を解析し、不存在、存在のいずれであるかを判断する。検知していなければ、不存在であると判断し、ステップＳ１７１に進む。検知していれば、存在していると判断し、ステップＳ１８０に進む。ステップＳ１８０に進んだ場合は、さらにステップＳ１９０において、３０個の人検知結果９９７を蓄積して解析し、検知したものが５回以上連続していれば、滞留であると判断し、ステップＳ１６０に進む。それ以外の場合は、散在であると判断し、ステップＳ２００に進む。散在と滞留の区別については、上記の他にも、例えば、２０個中１５個以上検知していれば滞留、２０個中１個以上１４個以下が検知であれば散在とするようなことも可能である。
【００６０】
第２の変形例では、認証使用中でない場合、ステップＳ１５２で存在が確認されると、中精度の撮影条件で撮影を開始する。その後、散在か滞留かを判断し、散在であれば、中精度の撮影条件での撮影を継続し、滞留であれば、高精度の撮影条件での撮影に切り替えることになる。実施例、第１の変形例、第２の変形例いずれにおいても、監視の必要性が高くなるほど、高精度の撮影条件で撮影する点については共通である。
【００６１】
本発明の撮影監視システムは、様々な状況で利用することが可能である。例えば、機密情報を扱う事業所内で利用することも可能であるし、店舗等において、顧客が扱う端末として情報処理機器１００を利用することも可能である。店舗等において利用した場合、端末のいたずら防止になる。
【図面の簡単な説明】
【００６２】
【図１】撮影監視システム１の全体構成図である。
【図２】撮影監視システム１の処理の流れを説明する図である。
【図３】撮影監視システム１の詳細な構成図である。
【図４】撮影条件判定処理のフローチャートである。
【図５】第１の変形例における撮影条件判定処理のフローチャートである。
【図６】第２の変形例における撮影条件判定処理のフローチャートである。
【符号の説明】
【００６３】
１  撮影監視システム
１００  情報処理機器
１１５  利用者識別情報送信要求手段
１３０  利用者認証手段
１４０  使用終了指示受付手段
１５０  機器状態情報作成手段
１５５  機器状態情報送信手段
１９０  記憶手段
１９１  利用者認証情報
３００  ＩＣカード
３１５  利用者識別情報返信手段
３９０  記憶手段
３９１  利用者識別情報
５００  ネットワークカメラ
５１０  撮像手段
５２０  監視映像データ作成手段
５４５  撮影条件受付手段
５６５  監視映像データ送信手段
７００  人センサ
７１０  人検知手段
７２０  人検知結果作成手段
７３５  人検知結果送信手段
９００  監視サーバ装置
９３５  人検知結果受信手段
９４０  撮影条件判定手段
９４５  撮影条件送信手段
９５５  機器状態情報受信手段
９６５  監視映像データ受信手段
９７０  監視映像記録手段
【図１】
2008067374.tif 000003
【図２】
2008067374.tif 000004
【図３】
2008067374.tif 000005
【図４】
2008067374.tif 000006
【図５】
2008067374.tif 000007
【図６】
2008067374.tif 000008